(57)【要約】【課題】骨盤の安定性と運動性とを両立させることができる骨盤ベルト付き衣類を提供する。【解決手段】骨盤ベルト付き衣類１０は、少なくとも臀部を覆う股付きの衣類本体１１と、この衣類本体１１に対して配設され、仙骨を覆う仙骨被覆部１２と、この仙骨被覆部１２から脇を通り腹部まで伸長された左右の腰ベルト１３と、右臀部固定ベルト１４と、左臀部固定ベルト１５とを備えている。右臀部固定ベルト１４及び左臀部固定ベルト１５は、腹部から側部及び臀部下部を通り股下まで伸長されたのち、股下から反対側の大腿部の前側まで伸長されている。右臀部固定ベルト１４と左臀部固定ベルト１５とは、肛門に対応する位置において、伸縮性を有する材料よりなる連結部材１６により連結されている。【選択図】図１
2018201686.tif 000002
【特許請求の範囲】
【請求項１】
少なくとも臀部を覆う股付きの衣類本体と、
この衣類本体に対して配設され、仙骨を覆う仙骨被覆部と、
この仙骨被覆部から脇を通り腹部まで伸長された腰ベルトと、
腹部から右股関節よりも下側及び右臀部下部を通り股下まで伸長されたのち、股下から左大腿部の前側まで伸長されるか、又は、股下から右大腿部後側を通り右大腿部脇まで伸長された右臀部固定ベルトと、
腹部から左股関節よりも下側及び左臀部下部を通り股下まで伸長されたのち、股下から右大腿部の前側まで伸長されるか、又は、股下から左大腿部後側を通り左大腿部脇まで伸長された左臀部固定ベルトと、
前記右臀部固定ベルトと前記左臀部固定ベルトとを肛門に対応する位置において連結する伸縮性を有する材料よりなる連結部材と
を備えたことを特徴とする骨盤ベルト付き衣類。
【請求項２】
前記連結部材の長さは、収縮時が２ｃｍ以上４ｃｍ以下、伸長時が３ｃｍ以上６ｃｍ以下であることを特徴とする請求項１記載の骨盤ベルト付き衣類。
【請求項３】
腰から右臀部下部まで伸長され、前記右臀部固定ベルトと連結された右臀部協調ベルトと、
腰から左臀部下部まで伸長され、前記左臀部固定ベルトと連結された左臀部協調ベルトと
を備えたことを特徴とする請求項１又は請求項２に記載の骨盤ベルト付き衣類。
【請求項４】
前記腰ベルトは、
前記仙骨被覆部から、上前腸骨棘よりも上側の腸骨に対応する位置を通り、腹部まで伸長された第１腰ベルトと、
前記仙骨被覆部から、上前腸骨棘と股関節よりも上側との間に対応する位置を通り、腹部まで伸長された第２腰ベルトと
を有することを特徴とする請求項１から請求項３のいずれか１に記載の骨盤ベルト付き衣類。
【請求項５】
前記腰ベルトは、前記第１腰ベルトを左右において２本ずつ有することを特徴とする請求項４記載の臀部保護ベルト付き衣類。
【請求項６】
前記仙骨被覆部は、第４腰椎まで覆うように構成され、第４腰椎及び第５腰椎に対応する位置に、人体側に突出するように設けられた弾力性を有する腰椎クッション部を有する
ことを特徴とする請求項１から請求項５のいずれか１に記載の骨盤ベルト付き衣類。
【請求項７】
前記衣類本体の両脇には、形状を保持するための棒状の芯材が配設されたことを特徴とする請求項１から請求項６のいずれか１に記載の骨盤ベルト付き衣類。
【発明の詳細な説明】
【技術分野】
【０００１】
本発明は、腰臀部痛緩和を図ることができる骨盤ベルト付き衣類に関する。
【背景技術】
【０００２】
腰痛人口２８００万人とも言われる中、最近、インナーマッスルの低下に基づく骨盤輪不安定症の患者が増えている。杖や押し車などを利用して移動できるように改善が図られてはいるものの、転倒の危険性が高く、骨盤固定性を強化する骨盤ベルトの開発が望まれている。
【０００３】
骨盤周囲の不安定性はリハビリテーション領域では、運動器不安定症の中の一例として捉えられてはいるが、病態生理の解明が完全にはできていない。そのため、従来のコルセットは、一般にサポーターとしての機能のみで、骨盤の不安定性に対しては効果が少ない。また、仙腸関節周囲は、加齢的変化によりクッションとなる筋肉が減るため、一部には人口筋肉を使用したものもあるが、一般的にはクッションを持ち歩くしか方法がなかった。更に、固定性がある程度保たれても、歩行など片側に重心を架けかえていく動きを改善できるものはなかった。加えて、腰部のベルトについては従来より多種あるが（例えば、特許文献１参照）、腰部のみに効果的であり、尾側への矯正が少ないことから臀部痛には効果が少なく、改良が求められていた。解剖学的には、臀部痛は仙腸関節や腸腰靭帯の炎症によるものが多く、従来の腰下肢痛の原因と違うことが改善を求められている理由と考えられる。
【０００４】
そこで、本出願人は、第１ベルト、第２ベルト、及び、第３ベルトとを備え、第１ベルトは、仙骨を覆う仙骨被覆部と、仙骨被覆部の下側から伸長され右大腿の内側に固定される右内腿固定部と、仙骨被覆部の下側から伸長され左大腿の内側に固定される左内腿固定部とを有し、第２ベルトは、一端部が右側臀部の下側から脇を通り腹部に伸長され、他端部が右側臀部から股下を通り左大腿外側まで伸長され、第３ベルトは、一端部が左側臀部の下側から脇を通り腹部に伸長され、他端部が左側臀部から股下を通り右大腿外側まで伸長された臀部保護ベルト付き衣類を開発した（特許文献２参照）。この臀部保護ベルト付き衣類では、右内腿固定部と第２ベルトとをその交差部において連結し、左内腿固定部と第３ベルトとをその交差部において連結することにより、着用者の動きを制限し、骨盤を強固に固定するようになっている。
【先行技術文献】
【特許文献】
【０００５】
【特許文献１】特開２０１３−５９２９号公報
【特許文献２】特許第５６９３７５８号公報
【発明の概要】
【発明が解決しようとする課題】
【０００６】
しかしながら、特許文献２に記載の臀部保護ベルト付き衣類は、着用者の動きを制限し、骨盤を強固に固定するので、痛みが強い時には骨盤を固定することにより痛みが緩和されてよいのであるが、ある程度痛みが弱まり股関節を動かせるようになった場合、又は、骨盤矯正や腰痛を予防した場合には、動きが必要以上に制限されてしまい、仙骨部の固定性を優先させたことで運動性に制限がでる問題があった。骨盤の安定性と運動性とを両立させ、全体的な筋力バランスを向上させることができるものが求められていた。
【０００７】
本発明は、このような問題に基づきなされたものであり、骨盤の安定性と運動性とを両立させることができる骨盤ベルト付き衣類を提供することを目的とする。
【課題を解決するための手段】
【０００８】
本発明の臀部保護ベルト付き衣類は、少なくとも臀部を覆う股付きの衣類本体と、この衣類本体に対して配設され、仙骨を覆う仙骨被覆部と、この仙骨被覆部から脇を通り腹部まで伸長された腰ベルトと、腹部から右股関節よりも下側及び右臀部下部を通り股下まで伸長されたのち、股下から左大腿部の前側まで伸長されるか、又は、股下から右大腿部後側を通り右大腿部脇まで伸長された右臀部固定ベルトと、腹部から左股関節よりも下側及び左臀部下部を通り股下まで伸長されたのち、股下から右大腿部の前側まで伸長されるか、又は、股下から左大腿部後側を通り左大腿部脇まで伸長された左臀部固定ベルトと、右臀部固定ベルトと左臀部固定ベルトとを肛門に対応する位置において連結する伸縮性を有する材料よりなる連結部材とを備えたものである。
【発明の効果】
【０００９】
本発明によれば、仙骨を覆う仙骨被覆部と、この仙骨被覆部から脇を通り腹部まで伸長された腰ベルトとを備えるようにしたので、仙骨を後面から押して骨盤を安定させることができ、歩行開始時の仙骨固定性を高めることができる。また、腹部から股関節よりも下側及び臀部下部を通り股下から反対側の大腿部付け根の前側まで伸長されるか、又は、股下から同一側の大腿部脇まで伸長された右臀部固定ベルト及び左臀部固定ベルトを備えるようにしたので、歩行時に、対側脚の振り子作用を利用して骨盤を締め付けることができ、自然な骨盤安定に近い状態を得ることができる。
【００１０】
更に、右臀部固定ベルトと左臀部固定ベルトとを肛門に対応する位置において連結する伸縮性を有する材料よりなる連結部材を備えるようにしたので、右臀部固定ベルト及び左臀部固定ベルトの力を肛門付近で作用させることができると共に、股関節の動きにある程度の自由度も持たせることができる。よって、人が歩行する時の感覚、すなわち、肛門を締めた状態で肛門を軸として体を左右に振って歩く感覚に近い状態を作ることができ、骨盤を安定化させつつ、歩幅を広くすることができる。従って、骨盤の安定性を向上させることができ、かつ、高い運動性も得ることができる。
【００１１】
加えて、連結部材の長さを収縮時が２ｃｍ以上４ｃｍ以下、伸長時が３ｃｍ以上６ｃｍ以下とするようにすれば、より高い効果を得ることができる。
【００１２】
更にまた、腰から右臀部下部まで伸長され、右臀部固定ベルトと連結された右臀部協調ベルトと、腰から左臀部下部まで伸長され、左臀部固定ベルトと連結された左臀部協調ベルトとを備えるようにすれば、右臀部協調ベルトと右臀部固定ベルトとの協調、及び、左臀部協調ベルトと左臀部固定ベルトとの協調により、股関節包を補強し、片側の大臀筋と反対側の広背筋との連携を補強して、上肢−下肢間での荷重連携を補強することができる。よって、仙骨の前傾により多裂筋が消退して骨盤の不安定性が高くなり、股関節包の負荷が大きくなっていても、その負荷を緩和し、上肢−下肢間での荷重連携を改善することができる。
【００１３】
加えてまた、腰ベルトが、上前腸骨棘よりも上側の腸骨に対応する位置を通る第１腰ベルトと、上前腸骨棘と股関節よりも上側との間に対応する位置を通る第２腰ベルトとを有するようにすれば、仙骨被覆部により仙骨をより効果的に押すことができると共に、骨盤をより効果的に締め付けることができる。
【００１４】
更にまた、第１腰ベルトを左右において２本ずつ有するようにすれば、脚の動きに応じて右臀部固定ベルト及び左臀部固定ベルトが引っ張られることにより第１腰ベルトが下に引っ張られても、確実に腸骨の上から覆い、下にずり落ちることを抑制することができる。また、個人の体形に合わせて固定の仕方を変えることができるので、より確実に腸骨の上から覆うことができる。
【００１５】
加えてまた、仙骨被覆部の第４腰椎及び第５腰椎に対応する位置に、人体側に突出するように設けられた弾力性を有する腰椎クッション部を有するようにすれば、腰部多裂筋等が減弱して第４腰椎及び第５腰椎に緩みが発生していても、腰椎クッション部で押圧することにより、緊張しやすくすることができる。また、脚の動きに応じて右臀部固定ベルト及び左臀部固定ベルトが引っ張られることにより仙骨被覆部が下に引っ張られても、腰椎クッション部が仙骨に引っ掛かり、下にずり落ちることを抑制することができる。
【００１６】
更にまた、衣類本体の両脇に形状を保持するための棒状の芯材を配設するようにしたので、衣類本体の脚側がずり上がるなどの変形を抑制することができる。
【図面の簡単な説明】
【００１７】
【図１】本発明の第１の実施の形態に係る骨盤ベルト付き衣類を後側から見た構成を表す図である。
【図２】図１に示した骨盤ベルト付き衣類を前側から見た構成を表す図である。
【図３】図１に示した骨盤ベルト付き衣類の仙骨被覆部の構成を取り出して表す縦方向の断面図である。
【図４】図１に示した骨盤ベルト付き衣類の右臀部固定ベルトを取り出して表す図である。
【図５】図１に示した骨盤ベルト付き衣類の左臀部固定ベルトを取り出して表す図である。
【図６】図１に示した骨盤ベルト付き衣類の右臀部協調ベルト及び左臀部協調ベルトを右臀部固定ベルト、左臀部固定ベルト及び連結部材と共に取り出して表す図である。
【図７】図１に示した骨盤ベルト付き衣類を横側から見た構成を表す図である。
【図８】本発明の第２の実施の形態に係る骨盤ベルト付き衣類を後前から見た構成を表す図である。
【図９】図８に示した臀部保護ベルト付き衣類を前側から見た構成を表す図である。
【発明を実施するための形態】
【００１８】
以下、本発明の実施の形態について図面を参照して詳細に説明する。
【００１９】
（第１の実施の形態）
図１は、本発明の第１の実施の形態に係る骨盤ベルト付き衣類１０を後側から見た構成を表すものであり、図２は前側から見た構成を表すものである。図３から図６は、骨盤ベルト付き衣類１０の一部の構成を取り出して表すものである。図７は骨盤ベルト付き衣類１０を横側から見た構成を表すものである。この骨盤ベルト付き衣類１０は、少なくとも臀部を覆う股付きの衣類本体１１と、この衣類本体１１に対して配設され、仙骨を覆う仙骨被覆部１２と、この仙骨被覆部１２から脇を通り腹部まで伸長された左右の腰ベルト１３と、右臀部固定ベルト１４と、左臀部固定ベルト１５とを備えている。
【００２０】
衣類本体１１は、例えば、仙骨被覆部１２、腰ベルト１３、右臀部固定ベルト１４、及び、左臀部固定ベルト１５等を取り付けることにより、容易にかつ効果的に装着できるようにするものである。また、衣類本体１１を備えれば、着用者に面で力を伝えることができるので好ましい。衣類本体１１は、例えば、伸縮性のある材料により構成されることが好ましく、ポリウレタンを含む材料により構成されることが好ましい。
【００２１】
仙骨被覆部１２及び左右の腰ベルト１３は、例えば、例えば、仙骨を押さえることにより、歩行開始時の仙骨固定性を高めるためのものである。仙骨は体重負荷された時に、両脇の腸骨に沈み込むことで安定化する。この時仙骨の前傾を強めるのが、背部の脊柱起立筋の収縮であり、それに対抗するのが骨間靭帯や仙結節靭帯、仙棘靭帯、大臀筋やハムストリングである。また、腸骨側には体を起こしていようとするカウンターニューテーションが起こる。そこで、仙骨に似せた仙骨被覆部１２を靭帯に似せた左右の腰ベルト１３で引っ張ることにより、加齢や運動不足による筋減弱でこれらの筋が弱るのをサポートし、仙骨の前傾（ニューテーション）に対抗できるようにし、また、腸骨を引き締めることでカウンターニューテーションが起きやすくしたものである。これにより、ハムストリングが固くなって、膝を曲げなければ立っていられない人も、膝が入っても立てるようになり、歩き始めのハムストリングの弛緩から緊張をスムーズにすることができるようになる。
【００２２】
仙骨被覆部１２は、例えば、衣類本体１１に対して配設されており、仙骨に対応して略逆三角形状に形成され、仙骨から第４腰椎まで覆うように構成されることが好ましい。仙骨被覆部１２は、仙骨を押さえることができるように硬い材料により構成されることが好ましく、例えば、プラスチックにより構成することができる。仙骨被覆部１２は、また、左右方向における中央部が人体側に突出するように湾曲していることが好ましい。疼痛が起きにくい正中線上で仙骨により密着させることができるからである。仙骨被覆部１２には、例えば、仙骨に対応する人体側の部分に、弾力性を有する仙骨クッション部１２Ａが設けられることが好ましい。仙骨を適度に圧迫することにより、骨盤安定性をより高めることができるからである。
【００２３】
仙骨被覆部１２には、また、第４腰椎及び第５腰椎に対応する人体側の位置に、仙骨クッション部１２Ａよりも人体側に突出するように設けられた弾力性を有する腰椎クッション部１２Ｂが設けられることが好ましい。本来、腰部多裂筋等の筋肉が膨隆して筋膜に張力を持たせることで背中を支えているが、腰部多裂筋等が減弱すると、第４腰椎及び第５腰椎に緩みが発生してしまうので、腰椎クッション部１２Ｂで押圧することにより、緊張しやすくすることができるからである。また、脚の動きに応じて右臀部固定ベルト１４及び左臀部固定ベルト１５が引っ張られ、それにより仙骨被覆部１２が下に引っ張られても、腰椎クッション部１２Ｂが仙骨に引っ掛かり、下にずり落ちることを抑制することができるからである。仙骨クッション部１２Ａの高さは、例えば、２ｃｍ以上４．５ｃｍ以下とすることが好ましい。仙骨クッション部１２Ａ及び腰椎クッション部１２Ｂを構成する材料としては、例えば、ウレタンが好ましく挙げられる。
【００２４】
左右の腰ベルト１３は、仙骨被覆部１２から、上前腸骨棘よりも上側の腸骨に対応する位置を通り、腹部まで伸長された左右の第１腰ベルト１３Ａと、仙骨被覆部１２から、上前腸骨棘と股関節よりも上側との間に対応する位置を通り、腹部まで伸長された左右の第２腰ベルト１３Ｂとを有することが好ましい。仙骨被覆部１２により仙骨をより効果的に押すことができると共に、骨盤をより効果的に締め付けることができるからである。また、第２腰ベルト１３Ｂは、股関節よりも上側を通し、股関節を覆わないようにすることにより、股関節の動きを制限しないようにすることが好ましい。
【００２５】
第１腰ベルト１３Ａ及び第２腰ベルト１３Ｂの少なくとも一部は、伸縮性を有する材料により構成することが好ましい。また、第１腰ベルト１３Ａ及び第２腰ベルト１３Ｂは、例えば、仙骨被覆部１２の側において衣類本体１１に固定されており、前側は衣類本体１１に固定されていないことが好ましい。自由度を高くすることにより、体形や症状に応じて着用することができるからである。第１腰ベルト１３Ａ及び第２腰ベルト１３Ｂの太さは、例えば、４ｃｍから１０ｃｍ程度であることが好ましい。
【００２６】
第１腰ベルト１３Ａと第２腰ベルト１３Ｂとは、それぞれ別体とされていてもよいが、前側において連結されていることが好ましい。着用を容易とすることができるからである。第１腰ベルト１３Ａ及び第２腰ベルト１３Ｂの前側は、着用したときに重なり合うように構成され、両端部の対向面には、例えば、これらを重ね合わせた状態で着脱可能に固定することができる着脱固定部材が配設されていることが好ましい。体形に合わせて調節して容易に装着することができるからである。着脱固定部材としては、例えば、面状ファスナーが挙げられる。
【００２７】
なお、第１腰ベルト１３Ａは、左右において２本ずつ有することが好ましい。脚の動きに応じて右臀部固定ベルト１４及び左臀部固定ベルト１５が引っ張られ、第１腰ベルト１３が下に引っ張られても、確実に腸骨の上から覆い、下にずり落ちることを抑制することができるからである。また、個人の体形に合わせて固定の仕方を変えることもできるからである。
【００２８】
右臀部固定ベルト１４は、腹部から右股関節よりも下側及び右臀部下部を通り股下まで伸長されたのち、股下から左大腿部の前側まで伸長されている。左臀部固定ベルト１５は、腹部から左股関節よりも下側及び左臀部下部を通り股下まで伸長されたのち、股下から右大腿部の前側まで伸長されている。右臀部固定ベルト１４及び左臀部固定ベルト１５は、腸腰筋を補助するものであり、歩行時に、対側脚の振り子作用を利用して骨盤を締め付けることにより、自然な骨盤安定に近い状態を得ることができるようになっている。なお、本実施の形態の骨盤ベルト付き衣類１０は、Ｏ脚に対応したものである。
【００２９】
右臀部固定ベルト１４において、左大腿部の前側というのは、左大腿部の内側部中心及び外側部中心よりも前側の範囲を意味している。右臀部固定ベルト１４の大腿部側の端部は、左大腿部の１／３よりも上側において、左大腿部の内側部中心と前中心との中間位置から、外側部中心と前中心との中間位置までの範囲に固定するようにすればより好ましい。同じく、左臀部固定ベルト１５において、右大腿部の前側というのは、右大腿部の内側部中心及び外側部中心よりも前側の範囲を意味している。左臀部固定ベルト１４の大腿部側の端部は、右大腿部の１／３よりも上側において、右大腿部の内側部中心と前中心との中間位置から、外側部中心と前中心との中間位置までの範囲に固定するようにすればより好ましい。
【００３０】
右臀部固定ベルト１４及び左臀部固定ベルト１５の少なくとも一部は、伸縮性を有する材料により構成することが好ましい。右臀部固定ベルト１４及び左臀部固定ベルト１５の太さは、例えば、４ｃｍから８ｃｍ程度であることが好ましい。右臀部固定ベルト１４及び左臀部固定ベルト１５は、例えば、腹部側の端部が腰ベルト１３又は衣類本体１１に対して面状ファスナー等により着脱可能に固定され、大腿部側の端部が衣類本体１１に対して面状ファスナー等により着脱可能に固定されることが好ましい。体形に合わせて調節することができるからである。
【００３１】
衣類本体１１の両脇には、右臀部固定ベルト１４及び左臀部固定ベルト１５が股関節よりも下側を通るように案内するベルト通し１４Ａ，１５Ａを設け、これらに右臀部固定ベルト１４及び左臀部固定ベルト１５を通すことにより位置決めをすることが好ましい。右臀部固定ベルト１４及び左臀部固定ベルト１５で股関節を覆わないようにし、股関節の動きを制限しないようにするためである。また、右臀部固定ベルト１４及び左臀部固定ベルト１５は、部分的に固定するようにすることが好ましい。自由度を高くすることにより、体形や症状に応じて効果的に着用することができるからである。
【００３２】
右臀部固定ベルト１４と左臀部固定ベルト１５とは、肛門に対応する位置において、伸縮性を有する材料よりなる連結部材１６により連結されている。連結部材１６は、股関節の動きにある程度の自由度も持たせつつ、右臀部固定ベルト１４及び左臀部固定ベルト１５の力を肛門付近で作用させることができるようにするものである。これにより、人が歩行する時の感覚、すなわち、肛門を締めた状態で肛門を軸として体を左右に振って歩く感覚に近い状態を作り、骨盤を安定化させつつ、歩幅を広くすることができるようになっている。連結部材１６の長さは、収縮時が２ｃｍ以上４ｃｍ以下、伸長時が３ｃｍ以上６ｃｍ以下であることが好ましい。より高い効果を得ることができるからである。連結部材１６の幅は、例えば、５ｍｍ以上３ｃｍ以下とすることが好ましい。
【００３３】
連結部材１６には、例えば、右補助ベルト１６Ａの一端部が接続されており、右補助ベルト１６Ａの他端部は右臀部固定ベルト１４の股下部分に接続されている。また、連結部材１６には、例えば、左補助ベルト１６Ｂの一端部が接続されており、左補助ベルト１６Ｂの他端部は左臀部固定ベルト１５の股下部分に接続されている。右補助ベルト１６Ａ及び左補助ベルト１６Ｂは、右臀部固定ベルト１４又は左臀部固定ベルト１５の股下部分がめくれてしまうことを防止するためのものである。右補助ベルト１６Ａ及び左補助ベルト１６Ｂの少なくとも一部は、伸縮性を有する材料により構成されることが好ましい。右補助ベルト１６Ａ及び左補助ベルト１６Ｂは、例えば、長さが３ｃｍから７ｃｍ程度、太さが５ｍｍから１５ｍｍ程度であることが好ましい。
【００３４】
この骨盤ベルト付き衣類１０は、また、腰から右臀部下部まで伸長され、右臀部固定ベルト１４と連結された右臀部協調ベルト１７と、腰から左臀部下部まで伸長され、左臀部固定ベルト１５と連結された左臀部協調ベルト１８を備えていることが好ましい。通常、片側の広背筋と反対側の大臀筋とは胸腰筋膜を介して同時に作用する。この役割は、腰椎と仙腸関節部を介して上肢−下肢間での荷重伝達を行うことである。また、脊柱起立筋と多裂筋の収縮による筋の膨隆によって胸腰筋膜が緊張するが、仙骨が前傾したままだと多裂筋が消退して骨盤の不安定性が高まり、股関節包の負荷が大きくなる。股関節包の負荷が大きくなるとそれ以上の力は仙腸関節と腰椎に伝達され、上肢−下肢間での荷重伝達がスムーズにできなくなる。そこで、右臀部協調ベルトと右臀部固定ベルト、及び、左臀部協調ベルトと左臀部固定ベルトとを協調させ、右臀部協調ベルト１７又は左臀部協調ベルト１８により広背筋の緊張を補強しながら、右臀部固定ベルト１４又は左臀部固定ベルト１５により大臀筋を引き締めることで、広背筋と大臀筋との連携を補強して、上肢−下肢間での荷重連携を補強するようになっている。
【００３５】
右臀部協調ベルト１７の腰側端部は、例えば、仙骨被覆部１２の幅に合わせて形成され、仙骨被覆部１２の上端部に対応する位置において、衣類本体１１に対して固定されることが好ましい。右臀部協調ベルト１７の下側端部は、例えば、右臀部固定ベルト１４と連結部材１６との連結位置に隣接して、右臀部下部において右臀部固定ベルト１４に固定されることが好ましい。同様に、左臀部協調ベルト１８の腰側端部は、例えば、仙骨被覆部１２の幅に合わせて形成され、仙骨被覆部１２の上端部に対応する位置において、衣類本体１１に対して固定されることが好ましい。左臀部協調ベルト１８の下側端部は、例えば、左臀部固定ベルト１５と連結部材１６との連結位置に隣接して、左臀部下部において左臀部固定ベルト１４に固定されることが好ましい。
【００３６】
右臀部協調ベルト１７及び左臀部協調ベルト１８の腰側端部と下側端部との間は、固定されていないことが好ましい。右臀部協調ベルトと右臀部固定ベルト、及び、左臀部協調ベルトと左臀部固定ベルトとを協調して効果的に作用させるためである。右臀部協調ベルト１７及び左臀部協調ベルト１８の少なくとも一部は、伸縮性を有する材料により構成することが好ましい。右臀部協調ベルト１７及び左臀部協調ベルト１８の太さは、例えば、腰側端部が１０ｃｍから１６ｃｍ程度、下側端部が４ｃｍから８ｃｍ程度であることが好ましい。右臀部協調ベルト１７及び左臀部協調ベルト１８は、１枚のベルトで構成してもよいが、２枚のベルトを重ねることにより構成するようにしてもよい。例えば、幅が４ｃｍから８ｃｍ程度のベルトを下側端部で重ね合わせ、腰側端部で幅を広げるようにずらして固定するようにしてもよい。
【００３７】
この骨盤ベルト付き衣類１０は、更に、衣類本体１１の両脇に、形状を保持するための棒状の芯材１９が配設されていることが好ましい。衣類本体１１の脚側がずり上がるなどの変形を抑制するためである。芯材の幅は、例えば、５ｍｍから２０ｍｍ程度とすることが好ましい。
【００３８】
この骨盤ベルト付き衣類１０は、例えば、次のようにして装着し用いられる。まず、例えば、左右の腰ベルト１３の前側、右臀部固定ベルト１４、及び、左臀部固定ベルト１５の固定をはずし、衣類本体１１を穿く。そののち、体形に合わせて、左右の腰ベルト１３、右臀部固定ベルト１４、及び、左臀部固定ベルト１５を固着する。
【００３９】
このように、本実施の形態によれば、仙骨を覆う仙骨被覆部１２と、この仙骨被覆部１２から脇を通り腹部まで伸長された腰ベルト１３とを備えるようにしたので、仙骨を後面から押して骨盤を安定させることができ、歩行開始時の仙骨固定性を高めることができる。また、腹部から股関節よりも下側及び臀部下部を通り股下から反対側の大腿部付け根の前側まで伸長されるか、又は、股下から同一側の大腿部脇まで伸長された右臀部固定ベルト１４及び左臀部固定ベルト１５を備えるようにしたので、歩行時に、対側脚の振り子作用を利用して骨盤を締め付けることができ、自然な骨盤安定に近い状態を得ることができる。
【００４０】
更に、右臀部固定ベルト１４と左臀部固定ベルト１５とを肛門に対応する位置において連結する伸縮性を有する材料よりなる連結部材１６を備えるようにしたので、右臀部固定ベルト１４及び左臀部固定ベルト１５の力を肛門付近で作用させることができると共に、股関節の動きにある程度の自由度も持たせることができる。よって、人が歩行する時の感覚、すなわち、肛門を締めた状態で肛門を軸として体を左右に振って歩く感覚に近い状態を作ることができ、骨盤を安定化させつつ、歩幅を広くすることができる。従って、骨盤の安定性を向上させることができ、かつ、高い運動性も得ることができる。
【００４１】
加えて、連結部材１６の長さを収縮時が２ｃｍ以上４ｃｍ以下、伸長時が３ｃｍ以上６ｃｍ以下とするようにすれば、より高い効果を得ることができる。
【００４２】
更にまた、腰から右臀部下部まで伸長され、右臀部固定ベルト１４と連結された右臀部協調ベルト１７と、腰から左臀部下部まで伸長され、左臀部固定ベルト１５と連結された左臀部協調ベルト１８とを備えるようにすれば、右臀部協調ベルト１７と右臀部固定ベルト１４との協調、及び、左臀部協調ベルト１８と左臀部固定ベルト１５との協調により、股関節包を補強し、片側の大臀筋と反対側の広背筋との連携を補強して、上肢−下肢間での荷重連携を補強することができる。よって、仙骨の前傾により多裂筋が消退して骨盤の不安定性が高くなり、股関節包の負荷が大きくなっていても、その負荷を緩和し、上肢−下肢間での荷重連携を改善することができる。
【００４３】
加えてまた、腰ベルト１３が、上前腸骨棘よりも上側の腸骨に対応する位置を通る第１腰ベルト１３Ａと、上前腸骨棘と股関節よりも上側との間に対応する位置を通る第２腰ベルト１３Ｂとを有するようにすれば、仙骨被覆部により仙骨をより効果的に押すことができると共に、骨盤をより効果的に締め付けることができる。
【００４４】
更にまた、第１腰ベルト１３Ａを左右において２本ずつ有するようにすれば、脚の動きに応じて右臀部固定ベルト１４及び左臀部固定ベルト１５が引っ張られることにより第１腰ベルト１３Ａが下に引っ張られても、確実に腸骨の上から覆い、下にずり落ちることを抑制することができる。また、個人の体形に合わせて固定の仕方を変えることができるので、より確実に腸骨の上から覆うことができる。
【００４５】
加えてまた、仙骨被覆部１２の第４腰椎及び第５腰椎に対応する位置に、人体側に突出するように設けられた弾力性を有する腰椎クッション部１２Ｂを有するようにすれば、腰部多裂筋等が減弱して第４腰椎及び第５腰椎に緩みが発生していても、腰椎クッション部１２Ｂで押圧することにより、緊張しやすくすることができる。また、脚の動きに応じて右臀部固定ベルト１４及び左臀部固定ベルト１５が引っ張られることにより仙骨被覆部１２が下に引っ張られても、腰椎クッション部１２Ｂが仙骨に引っ掛かり、下にずり落ちることを抑制することができる。
【００４６】
更にまた、衣類本体１１の両脇に形状を保持するための棒状の芯材１９を配設するようにしたので、衣類本体１１の脚側がずり上がるなどの変形を抑制することができる。
【００４７】
（第２の実施の形態）
図８及び図９は、本発明の第２の実施の形態に係る骨盤ベルト付き衣類２０の構成を表すものである。この骨盤ベルト付き衣類２０は、第１の実施の形態に係る骨盤ベルト付き衣類１０とは、右臀部固定ベルト２４及び左臀部固定ベルト２５の構成が異なると共に、右補助ベルト１６Ａ及び左補助ベルト１６Ｂを備えていないことを除き、同様の構成を有している。よって、第１の実施の形態と同一の構成要素には同一の符号を付し、その詳細な説明は省略する。また、第１の実施の形態と対応する構成要素には十の位の数字を“２”に変えた符号を付して説明する。
【００４８】
右臀部固定ベルト２４は、腹部から右股関節よりも下側及び右臀部下部を通り股下まで伸長されたのち、股下から右大腿部後側を通り右大腿部脇まで伸長されている。左臀部固定ベルト２５は、腹部から左股関節よりも下側及び左臀部下部を通り股下まで伸長されたのち、股下から左大腿部後側を通り左大腿部脇まで伸長されている。すなわち、第１の実施の形態の右臀部固定ベルト１４及び左臀部固定ベルト１５は、股下から反対側の大腿部付け根の前側まで伸長しているのに対して、本実施の形態の右臀部固定ベルト２４及び左臀部固定ベルト２５は、股下から同一側の大腿部脇まで伸長したものである。この骨盤ベルト付き衣類２０は、Ｘ脚に対応したものである。右臀部固定ベルト１４及び左臀部固定ベルト１５の機能及び他の構造は、第１の実施の形態と同様である。
【００４９】
なお、右臀部固定ベルト２４において、右大腿部脇というのは、右大腿部の外側部中心と前中心との中間位置から、外側部中心と後中心との中間位置までの範囲を意味している。右臀部固定ベルト２４の大腿部側の端部は、右大腿部の１／３よりも上側において、右大腿部脇に固定するようにすることが好ましい。同じく、左臀部固定ベルト２５において、左大腿部脇というのは、左大腿部の外側部中心と前中心との中間位置から、外側部中心と後中心との中間位置までの範囲を意味している。左臀部固定ベルト２５の大腿部側の端部は、左大腿部の１／３よりも上側において、左大腿部脇に固定するようにすることが好ましい。
【００５０】
右臀部固定ベルト１４及び左臀部固定ベルト１５の少なくとも一部は、伸縮性を有する材料により構成することが好ましい。右臀部固定ベルト１４及び左臀部固定ベルト１５の太さは、例えば、４ｃｍから８ｃｍ程度であることが好ましい。右臀部固定ベルト１４及び左臀部固定ベルト１５は、例えば、腹部側の端部が腰ベルト１３又は衣類本体１１に対して面状ファスナー等により着脱可能に固定され、大腿部側の端部が衣類本体１１に対して面状ファスナー等により着脱可能に固定されることが好ましい。体形に合わせて調節することができるからである。
【００５１】
このようにこの骨盤ベルト付き衣類２０は、Ｘ脚用に右臀部固定ベルト２４及び左臀部固定ベルト２５の構成を対応させたことを除き、第１の実施の形態と同一の機能を有している。よって、第１の実施の形態と同様の効果を得ることができる。
【００５２】
以上、実施の形態を挙げて本発明を説明したが、本発明は上記実施の形態に限定されるものではなく、種々変形可能である。例えば、上記実施の形態では、各構成要素について具体的に説明したが、全ての構成要素を備えている必要はなく、また、他の構成要素を備えていてもよい。
【産業上の利用可能性】
【００５３】
骨盤安定性を向上させることができる骨盤ベルト付き衣類に適用することができる。
【符号の説明】
【００５４】
１０，２０…骨盤ベルト付き衣類、１１…衣類本体、１２…仙骨被覆部、１２Ａ…仙骨クッション部、１２Ｂ…腰椎クッション部、１３…腰ベルト、１３Ａ…第１腰ベルト、１３Ｂ…第２腰ベルト、１４，２４…右臀部固定ベルト、１４Ａ…ベルト通し、１５，２５…左臀部固定ベルト、１５Ａ…ベルト通し、１６…連結部材、１６Ａ…右補助ベルト、１６Ｂ…左補助ベルト、１７…右臀部協調ベルト、１８…左臀部協調ベルト、１９…芯材
【図１】
2018201686.tif 000003
【図２】
2018201686.tif 000004
【図３】
2018201686.tif 000005
【図４】
2018201686.tif 000006
【図５】
2018201686.tif 000007
【図６】
2018201686.tif 000008
【図７】
2018201686.tif 000009
【図８】
2018201686.tif 000010
【図９】
2018201686.tif 000011